(57)【要約】【課題】飼主が自然な姿勢で無理なくペットに、当該ペットの斜め上方から傘部を差し掛けることができる、取扱いに便利でペットにとっても快適なペット用の傘を提供すること。【解決手段】本考案のペット用の傘は、上ろくろ２の内腔８が、傘部１の後方側から前方側へと斜めに低下するように傾斜していて、中棒４がこの上ろくろ２の内腔８に、内腔８の軸方向にスライド移動可能に収容されており、かつ、受骨７の親骨３とのジョイント部（Ｊ１〜Ｊ４）が、傘部１の後方側のジョイント部ほど、上ろくろ２に接近した位置に配設されていることを特徴とする。【選択図】図１
0003134541.tif 000002
【実用新案登録請求の範囲】
【請求項１】
逆猪口形状に展開する傘部の頂点に上ろくろを備え、この上ろくろの周囲から前記傘部の外周縁にかけて放射状に複数本の親骨が設けられており、かつ、前記傘部の内側部分から外部へ、前記上ろくろを中棒が貫通して、当該中棒の上端部に把持部を備え、当該中棒の下端部に下ろくろが固着されると共に、この下ろくろと前記各親骨の中間部分の間に受骨が設けられて成るペット用の傘であって、
前記上ろくろの内腔が、前記傘部の後方側から前方側へと斜めに低下するように傾斜していて、前記中棒がこの上ろくろの内腔に、当該内腔の軸方向にスライド移動可能に収容されており、かつ、前記受骨の前記親骨とのジョイント部が、前記傘部の後方側の当該ジョイント部ほど、前記上ろくろに接近した位置に配設されていることを特徴とするペット用の傘。
【請求項２】
前記傘部が、展開状態において、前後方向に長い形状を有するものであり、
前記傘部を逆猪口形状に展開保持した状態で、前記上ろくろの内腔が、前記傘部の露先を結ぶ平面に対して後方側に２０〜８５°の角度をなして傾斜し、
最前方に位置する前記ジョイント部の前記上ろくろからの長さと、最後方に位置する前記ジョイント部の前記上ろくろからの長さの比が１．３〜２：１となるように、前記ジョイント部が配設されていることを特徴とする請求項１に記載のペット用の傘。
【請求項３】
前記傘部が、展開状態において、前記傘部の左右各側に前記親骨が４本ずつ左右対称に配設された左右対称の前後方向に長い八角形形状を有し、
前記傘部を逆猪口形状に展開保持した状態で、前記上ろくろの内腔が前記傘部の露先を結ぶ平面に対して後方側に４０〜７０°の角度をなして傾斜していることを特徴とする請求項２に記載のペット用の傘。
【請求項４】
前記中棒の下端部に、ペットと連結可能な連結部材が設けられていることを特徴とする請求項１〜３のいずれか１項に記載のペット用の傘。
【考案の詳細な説明】
【技術分野】
【０００１】
本考案は、飼主がペットに、当該ペットの斜め上方から自然な姿勢で無理なく傘部を差し掛けることが可能なペット用の傘に関するものである。
【背景技術】
【０００２】
雨天時等に野外でペットを散歩させる際、ペットが濡れないようにするための１つの対策として、ペットにレインコートを着せることがなされてきたが、ペットがレインコートの着用を嫌がり、着用させるのに手間取ったり、結局は着せられず雨天時に快適な散歩ができないことがあった。
ところで、近年、人間が使用する既存の傘を、通常とは反対のお猪口常態に開くように改造したペット用の傘がいくつか開発されている。
【考案の開示】
【考案が解決しようとする課題】
【０００３】
しかし、これまで開発されたペット用の傘は、概して、傘部の露先を結ぶ平面に対して中棒（柄）が垂直に位置する構成のものであり、ペットが完全に濡れないようにするためには、ペットの真上から傘部を差し掛けなければならず、取り扱いに不便であり、散歩時の安全を害し、ペットにとっては動きが制約され、満足のいくものではなかった。ペットの横方向から傘部を差し掛けることが可能な傘も開発されているが、これは、逆猪口形に展開する傘部の頂点部付近で中棒を屈曲させて中棒を水平に寝かせた常態でペットに傘部を差し掛ける構成のものであり、やはり取り扱いが不便で、飼主が自然な姿勢で無理なくペットに傘部を差し掛けることは困難である。
本考案は、飼主が自然な姿勢で無理なくペットに、当該ペットの斜め上方から傘部を差し掛けることができる、取扱いに便利でペットにとっても快適なペット用の傘を提供することを課題とする。
【課題を解決するための手段】
【０００４】
本考案のペット用の傘は、逆猪口形状に展開する傘部の頂点に上ろくろを備え、この上ろくろの周囲から前記傘部の外周縁にかけて放射状に複数本の親骨が設けられており、かつ、前記傘部の内側部分から外部へ、前記上ろくろを中棒が貫通して、当該中棒の上端部に把持部を備え、当該中棒の下端部に下ろくろが固着されると共に、この下ろくろと前記各親骨の中間部分の間に受骨が設けられて成るペット用の傘であって、前記上ろくろの内腔が、前記傘部の後方側から前方側へと斜めに低下するように傾斜していて、前記中棒がこの上ろくろの内腔に、当該内腔の軸方向にスライド移動可能に収容されており、かつ、前記受骨の前記親骨とのジョイント部が、前記傘部の後方側の当該ジョイント部ほど、前記上ろくろに接近した位置に配設されていることを特徴とする。
【０００５】
即ち、本考案のペット用の傘は、中棒が貫通する上ろくろの内腔が傘部の前方にかけて低くなるように傾斜していることにより、中棒が傘部の前方にかけて低くなる傾斜をなし、野外でペットを連れ歩く際、先行するペットの背後から飼主が、自然な姿勢を保ったまま無理なく斜めに傘部を差し掛けることが可能である。また、このように中棒を傾斜させた場合は、通常、傘部から中棒にかかる力のバランスが崩れ、傘部を開閉する際の安定かつ確実な操作性、展開状態における傘の安定性が問題となるが、本考案のペット用の傘は、受骨の親骨のジョイント部を、傘部の後方側のジョイント部ほど上ろくろに接近した箇所に配設することにより、かかる問題を解決した。
【０００６】
前記上ろくろは、その内腔が、前記傘部の露先を結ぶ平面に対して後方側に２０〜８５°の角度をなして傾斜していることが好ましく、特に、かかる角度を５０〜７０°として、中棒にかかる力のバランスを好適にできる。
前記傘部は、展開した状態で、丸形、角形等あらゆる形状をとり得るが、前後方向に長い形状の傘部は、ペットを頭部から尾部まですっぽりと覆い、しかも嵩張らず好都合である。
前記各ジョイント部は、例えば、最前方に位置する前記ジョイント部の前記上ろくろからの長さと、最後方に位置する前記ジョイント部の前記上ろくろからの長さの比が１．３〜２：１となるように各ジョイント部を配設した場合に、優れた安定性の傘を作製できる。
本考案の傘は、前記中棒の下端部に、ペットと連結可能な連結部材を設けてもよい。
【考案の効果】
【０００７】
本考案のペット用の傘は、安定な構造を有し、飼主が自然な姿勢で無理なく、ペットの斜め上方から傘部を差し掛けることができ、飼主にとって安全であり、ペットにとっても行動が制約されることがなく快適である。本考案のペット用の傘は、傘地に撥水性の生地を用いて特に雨天時に好適に使用できるが、傘地に布地を使用して、ペット用の日傘としても使用できる。
以下に本考案を実施するための好ましい態様を示すが、本考案はかかる態様に限定されるものではない。
【考案を実施するための最良の形態】
【０００８】
図１Ａに斜視図を、図２Ａに平面図を、図２Ｂに左側面図を示す本考案のペット用の傘は、逆猪口形状に展開する傘部１の頂点に上ろくろ２を備え、上ろくろ２の下端部周囲から傘部１の外周縁にかけて放射状に計８本の親骨３が設けられており、傘部１の内側部分から外部へ、上ろくろ２を中棒４が貫通して、中棒４の上端部に把持部５を備え、中棒４の下端部が下ろくろ６を貫通した状態で固定されており、下ろくろ６の周囲から各親骨３の中間部分にかけて放射状に受骨７が設けられて成る。本実施例の傘部１は、展開状態において、傘部１の左右各側に親骨３が４本ずつ左右対称に配設された左右対称の前後方向に長い八角形形状を有し、透明なビニール地の傘地から成る。上ろくろ２の内腔８が、傘部１の後方側から前方側へと斜めに低下して、傘部１の露先９を結ぶ平面に対して約６０°傾斜していることにより、中棒４は、傘部１の露先９を結ぶ平面に対して同角度で傾斜した状態で、内腔８に、内腔８の軸方向にスライド移動可能に収容されている。受骨７は、これと親骨３とのジョイント部（Ｊ１〜Ｊ４）が、傘部１の後方側のものほど上ろくろ２に接近した位置に配設されている。即ち、下ろくろ６は、上ろくろ２の下方から傘部１の前方側にずれて位置し、傘部１の最も前方に位置する左右一対のジョイント部（Ｊ１）は、上ろくろ２から１６ｃｍ離れた箇所に、この一対のジョイント部（Ｊ１）のすぐ後方に位置する左右一対のジョイント部（Ｊ２）は上ろくろ２から１３．５ｃｍ離れた箇所に、傘部１の最も後方に位置する左右一対のジョイント部（Ｊ４）のすぐ前方に位置する左右一対のジョイント部（Ｊ３）は上ろくろ２から１１．５ｃｍ離れた箇所に、傘部１の最後方に位置する左右一対のジョイント部（Ｊ４）は上ろくろ２から９．５ｃｍ離れた箇所に位置づけられていて、傘部１の前方の受骨７ほど、長く形成されている。
【０００９】
かかる構成により、この実施例の傘は、極めて安定に傘部１を開閉でき、また展開時、傘部１がバランスよく安定な展開状態を維持し、飼主は把持部５を把持して、先行するペットの斜め上方から安定に確実に傘部１を差し掛けることができる。
本実施例の傘の中棒４の下端部には、ペットを連結するための連結部材１０が取り付けられており、これに犬を連結して傘を使用すれば、飼主が特に注意を払わなくてもペットの動きに伴い傘部１がその上に被さったまま移動し、飼主にとってより便利で安全である。
【図面の簡単な説明】
【００１０】
【図１】本考案のペット用の傘の一具体例を示す図であり、Ａは斜視図を、Ｂは上ろくろの縦断面図を示す。
【図２】図１に示す傘を別の方向から見た図であり、Ａは平面図を、Ｂは左側面図を示す。
【符号の説明】
【００１１】
１  傘部
２  上ろくろ
３  親骨
４  中棒
５  把持部
６  下ろくろ
７  受骨
８  内腔
９  露先
１０  連結部材
Ｊ１〜Ｊ４  ジョイント部
【図１】
0003134541.tif 000003
【図２】
0003134541.tif 000004